(57)【要約】  パウチを備える注ぎ口装置であって、注ぎ口装置はパウチの上部をシールすることによってパウチの上部および注ぎ口装置のシール部に付着されている。注ぎ口装置は、それの中にストロー、およびパウチにおける液体をシールするための取外し可能なキャップを有する。キャップは取外され、パウチにおけるストローおよび液体にアクセス可能となりうる。キャップは注ぎ口装置上で交換され、パウチを再シールしうる。ストローはすでに注ぎ口装置内にあるため、ストローがシールを破断することによってパウチへ挿入されなければならないパウチを備える液体よりも容易に使用される。さらに、注ぎ口装置におけるストローは、パウチのシールを破断しなければならないストローと関係がある流出および損傷の予防に役立つ。
2008546609.tif 000002
【特許請求の範囲】
【請求項１】
シール側面部と、ネック部とを有する底面と、
前記側面部および前記ネック部を通して延在する開口と、
前記底面および前記ネック部における前記開口を通して延在するストローと、
前記底面の前記ネック部に取外し可能に取付けられ、かつ前記ネック部から外へ延在する前記ストローを覆うキャップであって、前記底面のシール側面部が、前記パウチの上部のシールストリップに接触し、液体を前記パウチに備えるキャップと
を含む、上部のシールストリップを有するパウチ用のストローを備えた注ぎ口装置。
【請求項２】
前記キャップの底に開封防止機付きリングを有し、かつ前記上部のシールストリップが前記底面に係合する請求項１に記載の上部のシールストリップを有するパウチ用のストローを備えた注ぎ口装置において、前記開封防止機付きリングが破断可能部分を有し、前記キャップを取外すことにより前記開封防止機付きリングの一部が前記キャップから分断され、前記キャップが開封されたことを示すようになっている注ぎ口装置。
【請求項３】
前記キャップに穴あき破断可能部を有する請求項２に記載の上部のシールストリップを備えるパウチ用のストローを備えた注ぎ口装置。
【請求項４】
前記底面の前記ネックにタブを有し、該タブは、前記ネックの前記開口内の前記ストローと接触する請求項１に記載の上部のシールストリップを有するパウチ用のストローを備えた注ぎ口装置。
【請求項５】
前記キャップの内側にネジを、かつ前記ネック部の外側にネジを有し、前記キャップおよび前記ネック部が互いに螺着されるようになっている請求項１に記載の上部のシールストリップを有するパウチ用のストローを備えた注ぎ口装置。
【請求項６】
前記ネック部から延在する前記ストローの一部を覆うために、前記キャップの内側に凹部を有する請求項１に記載の上部のシールストリップを有するパウチ用のストローを備えた注ぎ口装置。
【請求項７】
前記注ぎ口装置上にスクリューオフキャップを有する請求項１に記載の上部のシールストリップを有するパウチ用のストローを備えた注ぎ口装置。
【請求項８】
前記注ぎ口装置上にスナップオフキャップを有する請求項１に記載の上部のシールストリップを有するパウチ用のストローを備えた注ぎ口装置。
【請求項９】
前記注ぎ口装置上での前記キャップの回転を補助するために前記キャップに耳部を有する請求項１に記載の上部のシールストリップを有するパウチ用のストローを備えた注ぎ口装置。
【請求項１０】
前記キャップの内側にネジを、かつ前記ネック部の外側にネジを有し、前記キャップおよび前記ネック部が互いに螺着されるようになっている請求項２に記載の上部のシールストリップを有するパウチ用のストローを備えた注ぎ口装置。
【請求項１１】
前記ネック部から延在する前記ストローの一部を覆うために、前記キャップの内側に凹部を有する請求項１０に記載の上部のシールストリップを有するパウチ用のストローを備えた注ぎ口装置。
【請求項１２】
前記底面の前記ネックにタブを有し、該タブが、前記ネックの前記開口内の前記ストローと接触する請求項１１に記載の上部のシールストリップを有するパウチ用のストローを備えた注ぎ口装置。
【発明の詳細な説明】
【技術分野】
【０００１】
本発明は、フレキシブル自立パウチに関し、より具体的には、ストローおよび飲口用の注ぎ口装置に関する。
【背景技術】
【０００２】
この自立パウチは、プラスチック、フォイルおよびラミネーション、またはプラスチックおよびフォイルを含む広範囲の食品用材料によって構成されうる。注ぎ口装置およびストローはフレキシブル食品用プラスチック材料で構成されている。パウチ形状はさまざまであるが、４つの側面の３つですべてシールされている。すべての場合に、注ぎ口装置／ストローはパウチの上部における開口部に挿入される。次いで、注ぎ口装置および上部側面は互いにシールされ、液密性ケースを作る。
【０００３】
外部ストローの注ぎ口装置を備えた多くの自立パウチが入手可能である。外部ストローは、パウチの側面を貫き、これは汚く、かつ時々安全でない状態をもたらす。注ぎ口装置を備えるパウチによりストローに起因するこれらの難点は解消されるが、パウチを傾け、または圧迫して内容物を飲む必要が生じる。内部ストローを備える一体形注ぎ口装置は、飲用ストローの利点および衛生的に安全な注ぎ口装置が得られるという利点を有する。
【０００４】
注ぎ口装置の上部または飲口は、再シール可能なスナップオフキャップ、再シール不可能なスナップオフキャップ、キャップを開閉するツイスト、スクリューオンおよびオフキャップ、およびクラスプエンド閉鎖（ｃｌａｓｐ−ｅｎｄ  ｃｌｏｓｕｒｅｓ）を含む多くの異なる方法で製作されうる。
【発明の開示】
【課題を解決するための手段】
【０００５】
ストローを挿入するパウチを通じて全体に穴を開ける必要性を無くすることが本発明の目的である。
【０００６】
使用者を傷つける可能性がある先の尖ったストロー端を使用を排除することが本発明の目的である。
【０００７】
ストローの挿入によって引き起こされる流出を排除することが本発明の目的である。
【０００８】
飲用パウチの安全を増大させることが本発明の目的である。
【０００９】
再シール可能な飲用パウチを提供することが本発明の目的である。
【００１０】
パウチにおけるストローをシールし、かつ異物がパウチに入るのを防ぐストロー周囲の開口を阻止することにより衛生的にすることが本発明の目的である。
【００１１】
漏れおよび関連した汚れを除去することが本発明の目的である。
【００１２】
ストローが飲用パウチと共に存在していることを保証するのが本発明の別の目的である。
【００１３】
飲用パウチにおける安全シールを提供することが本発明の別の目的である。
【００１４】
容易に開放できる飲用パウチを提供することが本発明の別の目的である。
【００１５】
本発明の他の目的、利点、および新規な特徴は、以下の好ましい実施例の説明を添付の図面と併せて考慮することにより明らかとなるであろう。
【発明を実施するための最良の形態】
【００１６】
図１は、内部ストロー７および一体形注ぎ口装置６を備えるフレキシブル自立パウチ２０の実施例を示す。フレキシブル自立パウチ２０は、垂直壁２、底面５、シール側面３および４、および注ぎ口装置６を備えるシール部１を備えた上部端を有する。注ぎ口装置６は、内部ストロー７およびスクリューキャップ８を有する。注ぎ口装置６は、パウチの上部でシール部１とのシール接触用のシール壁３０をも有する。
【００１７】
図２は、注ぎ口装置６へ螺合するスクリューキャップ８を備えた注ぎ口装置６の詳細を示す。スクリューキャップ８は、キャップが勝手に開封された場合にはそのことが明確に分かるように小穴１９に沿ってスクリューキャップ８から切り離される開封防止機能付きリング９も有する。ストロー７は、注ぎ口装置６において上下に移動しうる可動ストローである。ストローは当初は、ストロー１０に係合するキャップ８の壁からのタブ１０によって適所に保たれる。注ぎ口装置６は、側面にシール部１を有する底部１６と、上部に位置するネック部１８を有する底面部１６を備える。ネック部１８はキャップ８のネジ１２との螺合用のネジ１１を有しうる。
【００１８】
キャップ８は任意のデザインでありうるとともに、キャップを把持、かつ回転させるための耳部１５を有しうる。キャップは再シール可能なスナップオフキャップ、再シール不可能なスナップオフキャップ、キャップを開閉するツイスト、スクリューオンおよびオフキャップ、およびクラスプエンドキャップ、または任意の他の型でありうる。キャップ８はストロー７の上部を覆うための凹部を有し、かつ、使用者がストローへアクセスすることを可能にするためにストロー７から取り外される。
【００１９】
一体形注ぎ口装置および内部ストローを備えた自立パウチ２０は、パウチを製造し、次いで注ぎ口装置６をタックシールすることによりパウチの上部をシールし、次いで注ぎ口装置を完全にシールして充填パウチとすることによって作られる。パウチの上部シール１は注ぎ口装置６と注ぎ口装置６のシール壁３０のシールに沿って適所にシールされる。注ぎ口装置６は、好ましくは、パウチのシールの助けとなるように伸長される。より細長い、または先細の注ぎ口装置は結果としてパウチの材料にしわを作らず、結果として、より優れたシール性がもたらされ、注ぎ口装置の見栄えがより良くなる。
【００２０】
パウチの注ぎ口装置ネックの２５は、ストロー７と摺動可能に係合する壁２６を有する。したがって、ストロー７は、パウチ２０に対する位置を調整されうる。
【００２１】
使用者は、耳部１５を用いてキャップ８をねじって外し、開封防止機能付きリング９を小穴１９に沿って分離し、これにより、製品が開放されていることが示される。キャップ８を取外すことにより、パウチ注ぎ口装置６の内外にストローを摺動させることによってパウチに対する所望の高さに調整されうるストロー１０へのアクセスが可能となる。
【００２２】
再シール可能なキャップが使用される場合は、キャップ８のネジ１２は注ぎ口装置６のネジ１１に再螺着され、自立パウチを再シールし、後の使用のために内容物を保存する。
【００２３】
実施例として自立パウチを用いているが、任意のパウチ型を使用しうる。
【００２４】
明らかに、本発明の多くの改造および変形が上記の開示に照らして可能である。したがって、添付の請求項の範囲内で、本発明は具体的に記載されたのとは別のやり方で実施されうることが理解される。
【図面の簡単な説明】
【００２５】
【図１】内部ストローおよび一体形注ぎ口装置を備えるフレキシブル自立パウチの一実施例を示す図である。
【図２】注ぎ口装置、キャップ、ストロー、およびストローを適所に保持するためのタブを示す側面図である。
【図１】
2008546609.tif 000003
【図２】
2008546609.tif 000004
【国際調査報告】
2008546609.tif 000005